(57)【要約】スライドドアのためのシールユニットが下降シール部とキャッチ要素６とを備える。機構７，４，８は、第２のスライドドア要素Ｂに対する第１のスライドドア要素Ｔのスライド動作を、スライド動作と実質的に直交して起こるシールストリップ装置２，３の運動に変換するように設計される。機構７，４，８は、スライド動作をピックアップするために、回転自在又は回動自在なピックアップ要素７０を備える。シール部を下降させるため、ピックアップ要素７０がキャッチ要素６上に下降方向に重みを掛け、その結果、ドアの荷重力が下降動作を助ける。【選択図】図３
2018535339.tif 000002
【特許請求の範囲】
【請求項１】
スライドドア要素の相対的な移動の方向において第１のスライドドア要素（Ｔ）と第２のスライドドア要素（Ｂ）との間に延在するドア隙間（Ｓ）を封鎖するためのスライドドア用のシールユニットであって、
シール装置と、
キャッチ要素（６）と
を備え、
前記シール装置は、
前記シール装置を前記第１のスライドドア要素（Ｔ）に固定するための固定装置（１，５）と、
前記固定装置に対して移動可能に取り付けられたシールストリップ組立体（２，３）と、
前記第２のスライドドア要素（Ｂ）に対する前記第１のスライドドア要素（Ｔ）のスライド動作を、前記固定装置（１，５）に対する前記シールストリップ組立体（２，３）の、前記スライド動作と実質的に直交する運動に変換するように構成されたリンク機構（７，４，８）と、
を備え、
前記リンク機構は、前記スライド動作の捕捉のために、回転自在又は回動自在なピックアップ要素（７０）を有し、
前記ピックアップ要素（７０）は、前記キャッチ要素（６）の捕捉時に、前記シールストリップ組立体（２，３）を前記第２のスライドドア要素の方向に追い出して、このシールストリップ組立体（２，３）を下降させ、
前記ピックアップ要素（７０）は、前記シールストリップ組立体（２，３）のドロップダウン方向での前記シールストリップ組立体（２，３）の下降のために、前記キャッチ要素（６）にあたる
ことを特徴とする、シールユニット。
【請求項２】
前記リンク機構（７，４，８）は、前記ピックアップ要素（７０）として、前記第１のスライドドア要素（Ｔ）と前記第２のスライドドア要素（Ｂ）との間のスライド動作を捕捉するための少なくとも一つのレバーを備える
ことを特徴とする、請求項１記載のシールユニット。
【請求項３】
前記固定装置（１，５）は、前記第１のスライドドア（Ｔ）に固定するためのＵ字形状のプロファイルストリップ（１）を備え、
前記スライドストリップ組立体（２，３）は、前記スライドドア要素（Ｔ，Ｂ）の相対運動の方向と直交する方向に変位可能に、前記固定装置（１，５）に取り付けられる
ことを特徴とする、請求項１又は２記載のシールユニット。
【請求項４】
前記ピックアップ要素（７０）は、前記シールストリップ組立体（２，３）から横方向にずれて、前記固定装置（１，５）にヒンジ連結される
ことを特徴とする、請求項１〜３のいずれか一項に記載のシールユニット。
【請求項５】
前記キャッチ要素（６）は、固定配置され、前記シール装置は、前記スライドドア（Ｔ，Ｂ）内に変位可能に配置される
ことを特徴とする、請求項１〜４のいずれか一項に記載のシールユニット。
【請求項６】
前記ピックアップ要素（７０）の、前記スライド方向での、変位可能な支持のために、上方に向けられたキャッチ面（６０，６０’、６１，６２）を備える
ことを特徴とする、請求項１〜５のいずれか一項に記載のシールユニット。
【請求項７】
前記キャッチ面（６０’）は、斜め上方スライド方向に延びる
ことを特徴とする、請求項６記載のシールユニット。
【請求項８】
前記キャッチ面は、少なくとも一部分が水平面（６１）である
ことを特徴とする、請求項６又は７記載のシールユニット。
【請求項９】
前記ピックアップ要素（７０）の受け入れのための凹部（６１）が前記水平面（６０）にある
ことを特徴とする、請求項８記載のシールユニット。
【請求項１０】
前記リンク機構は、前記シール装置の下降機構（４，４０，８）に作用する伝動ユニット（７）を備える
ことを特徴とする、請求項１〜９のいずれか一項に記載のシールユニット。
【請求項１１】
前記下降機構（４，４０，８）は、前記シール装置の前記長手方向での変位によって、前記スライド動作と直交する方向に、前記シールストリップ組立体（２，３）を動かすばね負荷された作動ボタン（４）又はスライド（８）を備え、
前記伝動ユニット（７）は、この記作動ボタン（４）又は前記スライド（８）に作用する
ことを特徴とする、請求項１０記載のシールユニット。
【請求項１２】
前記ピックアップ要素（７０）は、前記プロファイルストリップ（１）に回動自在に固定された２アームのレバーであり、
前記レバーの第１のアームは、前記スライドドアの閉鎖時に、前記キャッチ要素（６）を捕捉する
ことを特徴とする、請求項１〜１１のいずれか一項に記載のシールユニット。
【請求項１３】
前記レバーの第２のアームは、前記シール装置の前記下降機構（４，４０，８）に連結されたケーブル（７３）に連結される
ことを特徴とする、請求項１０及び１２記載のシールユニット。
【請求項１４】
前記ケーブル（７３）は、前記作動ボタン（４）を引く
ことを特徴とする、請求項１１及び１３記載のシールユニット。
【請求項１５】
前記ケーブル（７３）の偏向のために、少なくとも一つの偏向プーリ（７４，７５）がある
ことを特徴とする、請求項１３又は１４記載のシールユニット。
【請求項１６】
前記ピックアップ要素（７０）は、前記スライド動作と直交する方向に回転時剤又は回動自在である
ことを特徴とする、請求項１〜１５のいずれか一項に記載のシールユニット。
【請求項１７】
請求項１〜１６のいずれか一項によるシールユニットのシール装置。
【発明の詳細な説明】
【技術分野】
【０００１】
本発明は、スライドドア用のシールユニットに関する。
【背景技術】
【０００２】
独国実用新案第２０ ２０１３ １０５ ６８７号明細書（特許文献１）が、シール部の形態のシール装置を記載し、シール部は、ハウジングと、ハウジングを（かくしてシール部を）ドア体又は同様のものに固定するための少なくとも一つのアングルブラケットとを備え、シール部は、シール部がドア体に取り付けられた状態で、シール部のハウジングが溝の縁を越えて突出せず、或いはほんの僅か突出するようにシール部を配置する少なくとも一つの止め部を有する。ドアの端面に突出しているピンを介して動作可能なトリガ機構が設けられる。トリガ時に、シールストリップが、ドアの下の隙間を封止するために下方へ進む。
【０００３】
そのうえ、スライドドア用の市販のシール装置では、上縁及び下縁用の自動ドアシール部が知られ、かくしてスライド動作の方向に水平方向に延在するドア隙を封止する。従来、スライドドアの下端シール部は、追加の横ガイド溝付きの、例えば、特許文献１により公知のタイプの普通の下降可能な下端シール部である。底ガイドピンが、床にしっかりと着座されドアをその運動にあたり横方向に案内するガイド溝の中を走行する。下端シール部のトリガは、ドアの閉鎖時に適当な逆圧で端面に実現される。ドアが閉まっているときに、この逆圧は、（例えば、磁石、モータ、横クランプ、又は同様のものによって、）恒久的に与えられなければならない。
【先行技術文献】
【特許文献】
【０００４】
【特許文献１】独国実用新案第２０ ２０１３ １０５ ６８７号明細書
【発明の概要】
【発明が解決しようとする課題】
【０００５】
本発明の目的は、スライドドアの少なくとも下縁用の改良されたシールユニットを提供することである。
【課題を解決するための手段】
【０００６】
この目的は、請求項１の特徴を有するシールユニットによって達成される。
【０００７】
第１の側面によれば、本発明は、スライドドア要素の相対的な移動の方向において第１のスライドドア要素と第２のスライドドア要素との間に延在するドア隙間を封鎖するためのスライドドア用のシール装置であって、シール装置を第１のスライドドア要素に固定するための固定装置と、固定装置に対して運動可能に取り付けられたシールストリップ組立体と、第２のスライドドア要素に対する第１のスライドドア要素のスライド動作を、固定装置に対するシールストリップ組立体の、スライド動作と実質的に直交する運動に変換するように構成されたリンク機構とを備え、リンク機構は、スライド動作の捕捉のために、特に、スライド動作と直交して、回転自在又は回動自在であるピックアップ要素を有する。
【０００８】
本発明のシールユニットは、シール装置と、ピックアップ要素と協働するキャッチ要素とを備える。ピックアップ要素は、閉鎖運動において、キャッチ要素、より正確には、その上方に向けられた表面を捕捉し、表面にあたると、ピックアップ要素は、それによって、シールストリップ組立体の下降を行う。
【０００９】
好ましくは、ピックアップ要素がスライド動作と直交する方向に運動可能なように、ピックアップ要素は、回転可能に又は回動可能に取り付けられる。ドアの閉鎖のためのスライド動作は、スライド方向を定義する。
【００１０】
リンク機構は、第１のスライドドア要素と第２のスライドドア要素との間のスライド動作をピックアップ（捕捉）するために、少なくとも一つのレバーを備えることが好ましい。
【００１１】
リンク機構は、ピックアップ要素として、好ましくは、固定装置に、特に、プロファイルストリップに連結された２アームレバーを備えることが好ましい。第２のスライドドア要素上の閉鎖位置近くに配置されたキャッチ要素、好ましくは，突起が捕捉されたときに、２つのレバーの一方が、スライドドアの閉鎖運動の間に第１のスライドドア要素に向かう方向に動くことができ、かくして、もう一方のレバーアームによって、好ましくは、シールの下降機構と組み合わせて、シールストリップ組立体を第２のスライドドア要素に向かって動かし、即ち下降させる。
【００１２】
キャッチ要素とシール装置とが、本発によるシールユニットを構成する。
【００１３】
固定装置は、第１のスライドドア要素に固定するためのプロファイルストリップを備えることが好ましい。
【００１４】
シールストリップ組立体は、スライドドア要素の相対的な運動の方向に直交する方向に変位可能に固定装置に取り付けられ、即ち、下降可能かつ上昇可能であることが好ましい。
【００１５】
プロファイルストリップは、内部にシールストリップ組立体が可動に収容されるＵ字輪郭を有することが好ましい。
【００１６】
別の側面によれば、本発明は、前述の設計の一つによるシール装置を備えたスライドドアに関する。
【００１７】
スライドドアは、第１のスライドドア要素として、固定装置が固定されたスライドドア体を備えることが好ましい。
【００１８】
スライドドアは、第２のスライドドア要素として、固定ユニットであることが好ましく、そして、キャッチ要素が、閉鎖位置近くに形成されていることが好ましい。キャッチ要素は、シールストリップ組立体の運動によってドア隙間を封鎖するために、閉鎖位置近くでリンク要素によって捕捉される。
【００１９】
本発明のシールのトリガでは、実際のトリガ力は、ドアの重量そのものから、及び／又は、ドアが閉まる際の移動質量から生ずる。
【００２０】
特に、シール装置の優れた設計によって、スライドドアの少なくとも下端縁に、閉鎖状態においてのみシールする可動シール部を設けることができる。ドアの移動において、追加の力を加える必要が無く、キャッチ要素の設計により、シールの復元力が、閉まった又はほとんど閉まったスライドドアを自動的に押すことはもはやない。
【００２１】
本シール装置の使用により、例えば、恒久的に作用するシール部の場合であるように、スライドドアの閉鎖状態において、スライドドアが別の手段によって閉鎖位置に保持される必要がなく、かつ、スライドドア移動の力条件が増加することなく、良好なシールが達成される。その結果、特に、自動駆動式のスライドドアにおいて、駆動用のエネルギーを節約することができる。
【００２２】
ここに示した本解決策は、いかなる大きな変形も必要とすることなく、既存のスライドドアの仕組みに容易に一体化することができる。シール装置は、壁の前を走行するスライドドアと、壁の中を走行するスライドドアの両方において使用できる。
【００２３】
好ましくは、シール部は、スライドドアの縦方向のドア隙間にも設けられる。これらの縦方向のシール部は、従来の通例のように設計することができる。
【００２４】
好ましい実施形態では、閉鎖状態で四面が密閉であるスライド要素が達成可能である。有利な設計では、追加の作動力／保持力は不要である。好ましい実施形態では、スライドドアは、防煙かつ防火である。有利には、シール装置は、消音目的に役立つ。好ましい実施形態では、長い耐用年数を有するシールシステムが提供される。好ましい実施形態では、シールシステムは、生産工学的見地から特に容易に実現することができる。好ましい実施形態では、シール装置は、左／右配置で使用可能に形成される。好ましい実施形態では、シール装置は、無段階に調節可能かつかつ短縮可能である。
【００２５】
更なる実施形態が、従属請求項に定義される。
【図面の簡単な説明】
【００２６】
【図１】本発明の第１実施形態によるシールユニットを有するスライドドアの端面図を示す。
【図２】本発明の第２実施形態によるシールユニットを有するスライドドアの端面図を示す。
【図３】図２によるシールユニット全体にわたる縦断面図を示す。
【図４】シールストリップを上げた状態で本発明の第３実施形態におけるシールユニットの斜視図を示す。
【図５】シールストリップを下げた状態で図４によるシールユニットを示す。
【発明を実施するための形態】
【００２７】
本発明の好ましい実施形態が図面を参照して以下に説明されるが、説明の目的を果たすためだけであり、限定的に解釈されるべきではない。
【００２８】
図１により示した実施形態は、本発明の基本原理を示す。この図に対する説明は、該当する場合、他の図示した実施形態にも関係する。
【００２９】
図１に、第１のスライドドア要素Ｔと第２のスライドドア要素Ｂとを有するスライドドアが示される。スライドドア要素Ｔ，Ｂは、図１において図面に垂直なスライド動作方向に、相対的に移動可能である。第１のスライドドア要素Ｔは、好ましくは、スライドドアのスライド可能なドア体であり、第２のスライドドア要素Ｂは、好ましくは、スライドドアの固定フレーム又は建物の床である。
【００３０】
第１のスライドドア要素Ｔに、スライド動作方向に延在するドア隙間を封鎖するための少なくとも一つのシール装置が設けられる。特に、シール装置は、可動シールストリップ組立体を備える自動ドアシール部として形成される。好ましくは、自動ドアシール部は、ドアの閉鎖時に自動的に動作する機械的ドロップダウンシール部である。
【００３１】
図示した実施形態では、ドア隙間Ｓを封鎖するための第１のシール装置が設けられている。さらに、第２のドア隙間Ｓを封鎖するための第２のシール装置（ここでは図示せず）を設けることができる。第２のドア隙間は、例えば、上側のドア隙間であり、一方、第１のドア隙間は、例えば、下側のドア隙間である。かくして、第１のシール装置は、例えば、自動床シール部として形成される。
【００３２】
ここに説明したシール装置の例示の実施形態は、下側の下端ドア隙間を封鎖するための第１のシール装置としても、上側のドア隙間を封鎖するためのシール装置としても使用することができる。
【００３３】
図１から分かるように、シール装置は、固定装置１，５と、シールプロファイルとも呼ばれるシールストリップ３、及び支持レールとも呼ばれるシールストリップ支持部２を有し、固定装置１，５に対して移動可能に取り付けられたシールストリップ組立体２，３とを備え、さらに、ピックアップ要素７０を有するリンク機構を備える。
【００３４】
リンク機構は、閉鎖位置に到達する前に起こるスライドドア要素Ｔ，Ｂの間のスライド動作を、固定装置１，５とシールストリップ組立体２，３との間の、スライド動作と直交する相対運動に変換するように、即ち、シールストリップを下げるように形成される。
【００３５】
リンク機構は、ここでは別様に形成してもよい。例えば、限定的ではなく、リンク機構は、シール装置に一体化した伝動ユニット７及び下降機構を備えてもよい。
【００３６】
実施形態によれば、リンク機構の一部分、又は、存在するならば伝動ユニットの一部分が、シール装置の別の部分に連結され、或いは、シール装置の別の部分にヒンジ連結される。リンク機構のピックアップ要素７０は、例えば、トリガボタン、又は下降機構のスライド部に作用することができる。ピックアップ要素７０は、例えば、下降機構の端面又は長手方向の面に、又はシール装置の別の部分に作用してもよい。
【００３７】
リンク機構のピックアップ要素７０は、スライド動作をピックアップするために、スライド動作と直交する方向に動くことができる。ピックアップ要素７０は、スライド動作と直交し、かつピックアップ要素３０のピックアップ運動と直交する方向に、シールストリプ組立体２，３から横方向にずれて配置され、かつ、固定装置１，５に好ましくはヒンジ連結される。図１に明らかなように、ピックアップは、垂直方向に、即ち、床に向かって、又は、別の言い方をすれば、第１のスライドドア要素Ｔの長手面及び端面に平行に起こる。したがって、ピックアップは、シールストリップ組立体２，３の下降方向に、下端シールの場合、第１のスライドドア要素Ｔの荷重力方向に起こる。
【００３８】
固定装置１，５は、特に、ハウジングレールとも呼ばれるプロファイルストリップ１を有する。好ましい図示した実施形態では、プロファイルストリップ１は、Ｕ字形状のプロファイル部を備え、又は、そのように形成される。Ｕ字形状のプロファイルストリップ１は、シールストリップ組立体２，３のハウジングの役目をする。
【００３９】
そのハウジングは、公知の手段で、第１のスライドドア要素Ｔに、又は、その中に固定される。通常、この目的のために、その端面に嵌められた取付けブラケット又はアングルブラケット５が使用される。これらは、第１の脚部がプロファイルストリップ１の溝に挿入され、かつ、第２の脚部が第１のスライドドア要素Ｔの端面に螺合され、或いは固定される
【００４０】
シールストリップ組立体２，３は、第１のスライドドア要素Ｔから第２のスライドドア要素Ｂに向かう方向に、固定装置１，５上を移動可能である。即ち、シールストリップ組立体２，３は、ハウジングレール１に関して下降することができる。シールストリップ組立体２，３は、反対方向に再び上昇することもできる。
【００４１】
シールストリップ３がプロファイルストリップ１の長手方向と直交し、かつＵ字形状のプロファイルの両脚部と平行な方向に移動可能なように、特に、シールストリップ支持体２は、ハウジング１のＵ字形状のプロファイル内で移動可能に保持される。
【００４２】
リンク機構又は伝動ユニット７は、別様に形成してもよい。例えば、リンク機構又は伝動ユニット７は、図１に示すようにレバーを備えてもよい。好ましくは、レバーは、レバージョイントで固定装置１，５に回動自在にヒンジ止めされる。レバー又はレバーアームが、スライドドア要素Ｔ、Ｂ間のスライド動作をピックアップして（捕らえて）、スライド動作と直交する方向に動き、リンク機構がシールストリップ組立体２，３の下降を行う。
【００４３】
図２〜図５を参照して以下により詳細に説明するように、スライドドアのスライド動作のシールストリップ組立体の下降への変換は、別様に実現してもよい。
【００４４】
図１に明らかなように、レバーアーム、ここではピックアップ要素７０は、垂直方向下向きに突出する。第２のスライドドア要素Ｂ上に、上昇モジュール（run-up module）とも呼ばれる上方に突出しているキャッチ要素６がある。こうして、スライドドアＴが開位置の近くへ移動するときに、レバーアーム、即ちピックアップ要素７０は、第２のスライドドア要素Ｂ上のキャッチ要素６によって捕捉される役目をする。例えば、キャッチ要素６は、第２のスライドドア要素Ｂ上の突起部である。
【００４５】
キャッチ要素とシール装置は、本発明によるシールユニットを構成する。キャッチ要素は、シール装置と一緒に、又はスライドドアと一緒に製造販売されることがある。かくして、本発明はまた、シール装置とキャッチ要素とを有するスライドドアを含み、ここで、キャッチ要素は、好ましくはスライドドア体の閉位置近くに、好ましくは固定配置される。
【００４６】
キャッチ要素６及びレバーの形態は変えてもよい。ピックアップ要素７０は、レバーそのものを構成してもよいし、レバーアームとして、レバーの一部でもよい。好ましくは、シールストリップ組立体２，３を第２のスライドドア要素Ｂの方向に追い出すために、キャッチ要素６の捕捉時にレバーの回動を達成するピックアップ面が、レバーアーム又はピックアップ要素７０上に設けられる。図１では、キャッチ要素６は、スライドドアの閉鎖時にピックアップ要素７０をピックアップ（捕捉）するために、上方を向いたキャッチ面６０を有する。すなわち、ピックアップ要素７０のピックアップ面は、キャッチ要素６に、より正確にはキャッチ面６０に、上方からあたる。好ましくは、ピックアップ要素７０は、ドアの閉鎖時に、当接面（座面）又は傾斜面（上昇面）（run-up surface）とも呼ばれるこのキャッチ面６０に沿って摺動する。「上（up）」は、図面により理解されるべきであり、即ち、「上方を向いた」は、シールの下降と反対方向であり、下端シールの場合には、第１のスライドドア要素Ｔの荷重力と反対方向である。
【００４７】
好ましくは、スライドストリップ組立体２，３は、（下降方向と）反対方向に予め張力がかけられる。そのために、（不図示の）機械的ばね組立体を、例えば、本明細書の後で下降機構の一部として説明するように、シールストリプ組立体２，３と固定装置１，５との間に設けてもよい。
【００４８】
説明した実施例では、第１のスライドドア要素Ｔとして、スライドドア体が設けられ、一方、第２のスライドドア要素Ｂとして、固定ユニット、例えば、固定されたスライドドアガイド、又はスライドドア付属品，又は床が設けられる。
【００４９】
説明したように、キャッチ要素６は、固定ユニットＢ上に配置して突起部を形成するための、シール装置と共に販売される別個の要素としてもよい。他の配置及び形態が可能である。
【００５０】
閉鎖位置に達する直前に突起部がレバーアームに又はピックアップ要素７０に作用するように、キャッチ要素６は固定配置される。スライドドア体Ｔがその閉鎖位置に到達しているシール装置の閉鎖位置において、キャッチ要素６は、レバーアーム又はピックアップ要素７０をスライドドア体Ｔの方向、即ち上方に押しやる。その結果、シールストリップ組立体２，３は、リンク機構によって下降される。
【００５１】
代わりに、又は更に、高さ調節可能な床ガイド、特に、高さ調節可能なキャッチ要素６を設けてもよい。
【００５２】
図２及び図３には、更なる実施形態が示される。好ましくは、シール装置は、既に上述したものに対応する。ここでは、シールストリップ３が、別様に構成される。シールストリップ３が、同様に、実質的にＵ字形の断面を有しているけれども、シールストリップ３は、下方に突出しているシールリップ３０が更に設けられている。しかしながら、ここに図示した上方に自由に突出する両脚部を有する二つのシールストリップは実際に上手くことが分かっているが、シールストリップの形状は本発明にとって重要ではない。
【００５３】
通常、下降機構は、プロファイルストリップ１内に配置され、下降機構は、シールストリップ３をばね荷重下で下降させ、かつ、シールストリップ３をばね復元力によって上昇させる。このタイプの機構は、先行技術において公知である。
【００５４】
プロファイルストリップ１の長さを超えて伸びる板ばねが上手くことが分かっている。板ばねは、一端がプロファイルストリップ１に回動自在に固定され、中央領域がシールストリップ支持体２に連結され、他端がスライド８（図４参照）又は作動ロッドに連結される。スライド８又は作動ロッドは、プロファイルストリップ１の長手方向に延び、プロファイルストリップ１の端面に配置された作動ボタン４に連結される（図３及び図４参照）。それは、この同じものから突出してもよいし、その中に後退して配置されてもよい。ドアの閉鎖時に、作動ボタン４が押し込まれて、ばねが緊張し、シールストリップ支持体２がシールストリップ３と一緒に下降する。ドアが開いているときに、作動ボタン４は再び解放され、ばねは再び緊張が解かれる。シールストリップ３を付けたシールストリップ支持体２は、再び自動的に上昇する。他のタイプの下降機構、及び運動のトリガが可能である。
【００５５】
今度は、キャッチ要素６が、上方に向けられたキャッチ面を有する。後者は、本実施形態において、スライドドアの閉鎖方向に沿って上昇し、かつ好ましくは水平面６１に通じる斜面６０’である。水平面６１は、好ましくは、凹部６２を有する。
【００５６】
ピックアップ要素７０は、下方に向けられたレバー又はピンの形態で形成される。
【００５７】
第１のスライドドア要素Ｔの閉鎖時に、ピックアップ要素７０は、斜面６０’に沿って上方に摺動する。伝動ユニット７のピックアップ要素７０が上方に押しやられると、それにより、ピックアップ要素７０が伝動ユニット７の機構を作動させ、機構はドロップダウンシールの下降機構の作動ボタン４に作用する。作動ボタン４は、この実施例では、好ましくは、プロファイルレール１内に後退して配置される。伝動機構は、別様に設計してもよい。ここで、ピックアップ要素７０に連結された、例えば、回動レバーの形態をなす伝動要素７１と、この伝動要素７１に連結された、例えば、同様に、回動レバーの形態をなす作動要素７２とが概略的に示される。作動要素７２は、その自由端で作動ボタン４に作用し、すなわち、作動要素７２は、これを押し込み、下降機構の板ばねを圧縮し、かくして、シールストリップ３を付けたシールストリップ支持体２を下降させる。
【００５８】
第１のスライドドア要素Ｔの重量が、シールの下降に使われる。かくして、スライドドアの閉鎖の間、シールストリップを下降させるために、実質的な追加の力を加える必要がない。
【００５９】
水平面６０は、その上に立っているピックアップ要素７０と協働して、スライドドアがほぼ又は完全に閉鎖したときに、シール装置の復元力がスライドドアを再び開けることを防止する。ここで説明したように、凹部６１があれば、スライドドアが意図せず開くことが完全に防止される。
【００６０】
図４及び図５に、本発明の更なる実施形態が示される。キャッチ要素６が同様に、上方に向けられた斜面６０’と、閉鎖方向に続く水平面６１とを有する。ピックアップ要素７０は、プロファイルレール１に回動自在に固定された２アームレバーである。プロファイルレール１は示されない。しかし、ピボット軸は、符号７７によって示される。
【００６１】
スライドドアの閉鎖時に、レバーは、第１のアームが、水平面６１に至るまで、斜面６０’に沿って上方に摺動する。ピックアップ要素７０の第２のレバーアームの端部が、ケーブル７３で作動ボタン４に連結される。このため、好ましくは、第１及び第２の偏向プーリ７３，７４がある。ケーブル７３は、好ましくは、作動ボタン４に分離可能かつ調節可能に連結された継手スリーブ７６内で終端する。作動ボタン４は、この実施例では、好ましくは、プロファイルレール１内に後退して配置される。ケーブル７３の代わりに、コード、バンド、ワイヤー、又は何らかの他の適当な細長い要素を使用してもよい。「ケーブル」という用語は、この明細書及び特許請求の範囲において、この種の要素のための適切な包括的な用語として使用される。
【００６２】
図４と図５との組合せから明らかなように、スライドドアの閉鎖時に、作動ボタン４は、押し込まれず、引き出される。先行技術では、シール部が、押し込みによる代わりに、引張りによっても下降できることが公知である。これは、例えば、上述したドロップダウンシールで、一端がプロファイルレール１の代わりにスライド８又は作動バー４０に連結され、かつ他端がプロファイルレール１に連結された板ばねで達成できる。要するに、作動ボタン４は、シール部の他端に配置される。ここでも、トリガは、スライドドアの荷重力による追加力を費やすことなく、実現される。ここでも、閉鎖した又は部分的に閉鎖したスライドドアに望まない押圧を加えることが、水平面６１によって防止される。
【符号の説明】
【００６３】
１  プロファイルストリップ
２  シールストリップ支持部
３  シールストリップ
３０  リップ
４  作動ボタン
４０  作動バー
５  アングルブラケット
６  止め要素
６０  止め面
６０’  斜面
６１  水平面
６２  凹部
７  伝動ユニット
７０  ピックアップ要素
７１  伝動要素
７２  動作要素
７３  ケーブル
７４  第１偏向プーリ
７５  第２偏向プーリ
７６  継手スリーブ
７７  ピボット軸
８  スライド
Ｔ  第１スライドドア要素
Ｓ  ドア隙間
Ｂ  第２スライドドア要素
【図１】
2018535339.tif 000003
【図２】
2018535339.tif 000004
【図３】
2018535339.tif 000005
【図４】
2018535339.tif 000006
【図５】
2018535339.tif 000007
【国際調査報告】
2018535339.tif 000008
2018535339.tif 000009
2018535339.tif 000010
2018535339.tif 000011